(57)【要約】【課題】箱の組立てや内容物の収納が容易であり、一旦封緘された紙箱は、正規の開封手段によれば容易に開封できる一方、不正に開封しようとすると、紙箱を破壊しない限り開封できない、不正開封防止紙箱を提案するもの。【解決手段】直方体形状の紙箱（１）であって、底面板（２）の四辺に、前面板（３）と左側面板（４）と背面板（５）と右側面板（６）が連設され、左右側面板には、それぞれ左天面フラップと右天面フラップが連設されており、前面板には、前天面板（９）が連設されており、背面板には、後天面板（１０）が連設されており、前天面板に設けた切込み（１４）に、後天面板に連設した差込片（１３）を嵌合させて閉鎖部（１５）を形成することにより、天面部が形成されると共に、紙箱は開封不能に閉鎖され、前記閉鎖部と異なる部位に開封部（１８）が設けられていることを特徴とする不正開封防止紙箱である。【選択図】図１
2015123983.tif 000002
【特許請求の範囲】
【請求項１】
直方体形状の紙箱であって、
底面板の四辺に、折罫線を介して前面板と左側面板と背面板と右側面板が連設され、これら４枚の板の隣接する板同士はコーナーフラップによって接着されており、
左右側面板には、折罫線を介してそれぞれ左天面フラップと右天面フラップが連設されており、
前面板には、折罫線を介して前天面板が連設されており、
背面板には、折罫線を介して後天面板が連設されており、
前天面板に設けた切込みに、後天面板に連設した差込片を嵌合させて閉鎖部を形成することにより、天面部が形成されると共に、紙箱は開封不能に閉鎖され、
前記閉鎖部と異なる部位に開封部が設けられていることを特徴とする不正開封防止紙箱。
【請求項２】
前記閉鎖部を覆う貼紙を有することを特徴とする請求項１に記載の不正開封防止紙箱。
【請求項３】
前記貼紙は、通信販売に用いる帳票であることを特徴とする請求項２に記載の不正開封防止紙箱。
【請求項４】
前記開封部は、複数の切込線を配列したジッパーであることを特徴とする請求項１〜３のいずれか１項に記載の不正開封防止紙箱。
【請求項５】
底面板の四隅から出発し、左右側面板及び左右天面フラップを貫通する折り畳み用罫線を有し、折り畳み用罫線を折ることにより、折り畳み可能であることを特徴とする請求項１〜４のいずれか１項に記載の不正開封防止紙箱。
【発明の詳細な説明】
【技術分野】
【０００１】
本発明は、紙箱に関し、一旦封緘した後には不正に開封されにくく、万一不正に開封された場合には、明らかにその痕跡が残るような紙箱に関する。
【背景技術】
【０００２】
高価な物品を紙箱に収納して発送する場合、輸送途中において紙箱が不正に開封されることのないように、構造に配慮された紙箱がある。特許文献１に記載された不正開封防止紙箱は、このような目的のためになされたものであり、一旦封印した後は破らないと開封できない構造を有している。
【０００３】
特許文献１に記載された不正開封防止紙箱は、左右の側板に連設したフラップを４重に折り畳んだ上下の側板で挟むように保持し、さらにすべてのフラップを糊付けして固定する構造であるため、一旦固着された紙箱は、破らない限り開封することはできない。
【先行技術文献】
【特許文献】
【０００４】
【特許文献１】特開平８−３４４２５号公報
【発明の概要】
【発明が解決しようとする課題】
【０００５】
特許文献１に記載された不正開封防止紙箱は、本来の目的に適ったものではあるが、反面、組み立てに当っては、フラップを隙間に挿入し、さらに糊付けしなければならないため、内容物の収納、梱包工程に非常に手間がかかり、実用性に乏しかった。
【０００６】
本発明の解決しようとする課題は、箱の組立てや内容物の収納が容易であり、一旦封緘された紙箱は、正規の開封手段によれば容易に開封できる一方、不正に開封しようとすると、紙箱を破壊しない限り開封できない、不正開封防止紙箱を提案するものである。
【課題を解決するための手段】
【０００７】
上記の課題を解決するための手段として、請求項１に記載の発明は、直方体形状の紙箱であって、底面板の四辺に、折罫線を介して前面板と左側面板と背面板と右側面板が連設され、これら４枚の板の隣接する板同士はコーナーフラップによって接着されており、左右側面板には、折罫線を介してそれぞれ左天面フラップと右天面フラップが連設されており、前面板には、折罫線を介して前天面板が連設されており、背面板には、折罫線を介して後天面板が連設されており、前天面板に設けた切込みに、後天面板に連設した差込片を嵌合させて閉鎖部を形成することにより、天面部が形成されると共に、紙箱は開封不能に閉鎖され、前記閉鎖部と異なる部位に開封部が設けられていることを特徴とする不正開封防止紙箱である。
【０００８】
本発明に係る不正開封防止紙箱は、箱本体に内容物を収納した後、後天面板に連設した差込片を前天面板に設けた切込みに挿入して引っ掛けるだけの簡単な操作で開封不能に閉鎖することができる。
【０００９】
また、請求項２に記載の発明は、前記閉鎖部を覆う貼紙を有することを特徴とする請求項１に記載の不正開封防止紙箱である。
【００１０】
また、請求項３に記載の発明は、前記貼紙が、通信販売に用いる帳票であることを特徴
とする請求項２に記載の不正開封防止紙箱である。
【００１１】
また、請求項４に記載の発明は、前記開封部が、複数の切込線を配列したジッパーであることを特徴とする請求項１〜３のいずれか１項に記載の不正開封防止紙箱である。
【００１２】
また、請求項５に記載の発明は、底面板の四隅から出発し、左右側面板及び左右天面フラップを貫通する折り畳み用罫線を有し、折り畳み用罫線を折ることにより、折り畳み可能であることを特徴とする請求項１〜４のいずれか１項に記載の不正開封防止紙箱である。
【発明の効果】
【００１３】
本発明に係る不正開封防止紙箱は、天面部が前天面板と後天面板の２枚の天面板から構成されており、前天面板に設けた切込みに、後天面板の先端に連設した差込片を嵌合させるだけの簡単な操作で、開封不能に閉鎖することができる。このため、物品の収納、梱包作業が簡単にできる。
【００１４】
本発明に係る不正開封防止紙箱は、閉鎖部とは別の部位に開封部を設けたので、容易に開封できると共に、一旦開封した場合には、開封したことが簡単に確認できる。このため、不正開封を防止する効果がある。
【００１５】
請求項２に記載の発明のように、不正開封防止紙箱が、閉鎖部を覆う貼紙を有する場合には、閉鎖部の嵌合を外して、不正に開封することがさらに困難となる。
【００１６】
請求項３に記載の発明のように、不正開封防止紙箱の閉鎖部に貼る貼紙が、通信販売に用いる帳票である場合には、宛名ラベルに開封防止のための貼紙の役目を兼ねさせることができるので、効率的である。
【００１７】
請求項４に記載の発明のように、不正開封防止紙箱の開封部が、複数の切込線を配列したジッパーである場合には、開封が容易であり、また開封した場合にはその事実が明らかに分るため、不正開封防止効果が高い。
【００１８】
請求項５に記載の発明のように、不正開封防止紙箱が、底面板の四隅から出発し、左右側面板及び左右天面フラップを貫通する折り畳み用罫線を有し、折り畳み用罫線を折ることにより、折り畳み可能である場合には、箱の輸送時に嵩張らず、梱包時にも折り畳まれた箱を引き起こすだけの簡単な操作で箱を組み立てることができる。
【図面の簡単な説明】
【００１９】
【図１】図１は、本発明に係る不正開封防止紙箱の一実施態様を示した斜視図である。
【図２】図２は、本発明に係る不正開封防止紙箱の他の実施態様を示した斜視図である。
【図３】図３は、図１に示した不正開封防止紙箱のブランクを紙の裏面側（箱の内側）から見た平面模式図である。
【図４】図４は、図２に示した不正開封防止紙箱のブランクを紙の裏面側（箱の内側）から見た平面模式図である。
【発明を実施するための形態】
【００２０】
以下、図面を参照しながら、本発明に係る不正開封防止紙箱について詳細に説明する。
本発明に係る不正開封防止紙箱（１）は、図１、図３に示したように、直方体形状の紙箱であって、底面板（２）の四辺に、折罫線（ａ、ｂ、ｃ、ｄ）を介してそれぞれ前面板（３）と左側面板（４）と背面板（５）と右側面板（６）が連設され、これら４枚の板の隣接する板同士はコーナーフラップ（１１ａ、１１ｂ、１２ａ、１２ｂ）によって接着されている。
【００２１】
左右側面板（４、６）には、折罫線（ｆ、ｈ）を介してそれぞれ左天面フラップ（７）と右天面フラップ（８）が連設されている。
【００２２】
なお、図３に示したブランク図は、説明の都合上、紙を箱の内面側（紙の裏面側）から見た状態を示している。従って、全ての折罫線を上から見て谷折することによって紙表が外側となる紙箱が形成される。谷折罫線は一点鎖線で表している。
【００２３】
前面板（３）には、折罫線（ｅ）を介して前天面板（９）が連設されており、背面板（５）には、折罫線（ｇ）を介して後天面板（１０）が連設されている。前天面板（９）に設けた切込み（１４）に、後天面板（１０）に連設した差込片（１３）を嵌合させて閉鎖部（１５）を形成することにより、天面部が形成されると共に、紙箱（１）は開封不能に閉鎖される。
【００２４】
この例では、差込片（１３）は、切込み（１４）に差込みやすいように先端が丸くなっており、付け根の幅よりも全幅が広いエラが張った構造をしている。このため、差込片（１３）は、一旦切込み（１４）に挿入されると、このエラの部分が切込みの左右に引っ掛かって嵌合し、紙を破らない限り抜くことができなくなる。
【００２５】
後天面板（１０）には、先端の差込片（１３）を差込みやすいように、差込片（１３）の付け根部分に折罫線（ｍ）と、後天面板全幅に亘る折罫線（ｎ）とが設けられている。
【００２６】
一方、本発明に係る不正開封防止紙箱（１）は、閉鎖部（１５）とは異なる部位に開封部（１８）が設けられていることを特徴とする。この例では、開封部（１８）として、後天面板（１０）に、開封用ジッパー（１９）が設けられている。このため、箱を開封する場合には、この開封用ジッパーを引き破ることにより、簡単に開封できる。しかも開封した場合には、開封したことが明らかに分るので、不正に開封されることを抑止する効果がある。
【００２７】
開封部（１８）の位置や形式は、特に限定されるものではなく、紙箱の材質に応じて単なるミシン目でもよいし、帯状ではなく、山型に開封するものでもよい。前面板全体が帯状に開封されるような構造でもよい。しかしいずれの場合であっても、紙箱に何らかの修復不可能な痕跡を残すようなものであることは必要である。
【００２８】
閉鎖部（１５）には、例えば図１、図２に示したような貼紙貼り付け位置（１７）に、閉鎖部を覆うような貼紙（図示せず）を、貼り付けてもよい。閉鎖部（１５）に貼紙を貼ることにより、閉鎖部を不正に開封することがさらに困難となり、実際上、殆ど不可能となる。
【００２９】
不正開封防止紙箱（１）が、通信販売に用いるものである場合には、貼紙として、通信販売に用いる帳票を代用することができる。通信販売の場合、通常宛名ラベルが発行されるので、このラベルを閉鎖部（１５）を覆い隠すように貼り付けることで、同様の効果が期待できる。
【００３０】
本発明に係る不正開封防止紙箱（１）には、図２、図４に示したように、底面板（２）
の四隅から出発し、左右側面板（４、６）及び左右天面フラップ（７、８）を貫通する折り畳み用罫線（１６ａ、１６ｂ、１６ｃ、１６ｄ）を設けることにより、折り畳み可能な構造とすることもできる。
【００３１】
折り畳み用罫線は、底面板（２）の四隅から、４５°の角度で設け、この折り畳み用罫線を他の罫線と逆に山折することにより箱全体を折り畳むことができるようになる。この様にすることにより、箱を予め製函した後に輸送する場合の輸送効率が高まる。また箱の組み立ては、側面板を引き起こすだけの簡単な操作で可能であるので、収納、梱包の手間もかからない。
【００３２】
このような、折り畳み可能な構造とする場合には、折り畳み用罫線（１６ａ〜１６ｄ）や、折罫線（ｆ、ｈ）は、折りやすいように、切込み線が入ったリード罫線としておくのがよい。折り畳み可能な構造ではない場合であっても、折罫線（ｅ、ｆ、ｇ、ｈ）は、リード罫線としてもよい。
【００３３】
本発明に係る不正開封防止紙箱に用いる材料としては、通常紙箱に使用される厚紙、板紙、段ボール紙を使用することができる。差込片（１３）を挿入する切込み（１４）の孔の幅方向の寸法は、使用する紙の厚さによって調節する。
【符号の説明】
【００３４】
１・・・不正開封防止紙箱
１Ｂ・・・ブランク
２・・・底面板
３・・・前面板
４・・・左側面板
５・・・背面板
６・・・右側面板
７・・・左天面フラップ
８・・・右天面フラップ
９・・・前天面板
１０・・・後天面板
１１ａ、１１ｂ・・・前面板コーナーフラップ
１２ａ、１２ｂ・・・背面板コーナーフラップ
１３・・・差込片
１４・・・切込み
１５・・・閉鎖部
１６ａ〜１６ｄ・・・折り畳み用罫線
１７・・・貼紙貼り付け位置
１８・・・開封部
１９・・・開封用ジッパー
ａ〜ｎ・・・折罫線
【図１】
2015123983.tif 000003
【図２】
2015123983.tif 000004
【図３】
2015123983.tif 000005
【図４】
2015123983.tif 000006